(57)【要約】【課題】  表示装置の損傷や異物の発生を低減する表示装置の保持方法、搬送方法および洗浄方法並びに洗浄装置を提供する。【解決手段】  表示パネル２とＦＰＣ３とを備えた表示装置１は、ＦＰＣ３側を洗浄装置２０の基板保持部２６で挟持する保持方法によって保持され、基板保持部２６が搬送部２５で搬送される搬送方法によって一対の洗浄ロール２８の間へ搬送される。一対の洗浄ロール２８は、表示パネル２を挟み込んで押圧を付与する。表示パネル２は、押圧を付与された状態で一対の洗浄ロール２８の間を通過することにより洗浄される。【選択図】      図３
2006293047.tif 000002
【特許請求の範囲】
【請求項１】
表示パネルと、該表示パネルへ信号を入力するためのフレキシブル配線基板とを備えた表示装置を保持する表示装置の保持方法であって、
前記表示装置の前記フレキシブル配線基板を基板保持部によって保持する基板保持ステップと、
前記表示パネルの少なくとも二面をパネル保持部によって保持するパネル保持ステップと、を有することを特徴とする表示装置の保持方法。
【請求項２】
請求項１に記載の表示装置の保持方法において、
前記基板保持ステップおよびパネル保持ステップで保持される前記表示装置は、
前記表示パネルと前記フレキシブル配線基板とを接続する異方性導電膜と、
前記表示パネルと前記フレキシブル配線基板との接続強度向上のための補強接続部と、を有することを特徴とする表示装置の保持方法。
【請求項３】
表示パネルと、該表示パネルへ信号を入力するためのフレキシブル配線基板とを備えた表示装置を搬送する表示装置の搬送方法であって、
前記表示装置の前記フレキシブル配線基板を搬送装置の基板保持部によって保持する基板保持ステップと、
前記表示パネルの少なくとも二面をパネル保持部によってさらに保持するパネル保持ステップと、
前記基板保持部を前記搬送装置の搬送部が搬送することによって前記表示装置を搬送する搬送ステップと、を有することを特徴とする表示装置の搬送方法。
【請求項４】
請求項３に記載の表示装置の搬送方法において、
前記基板保持ステップは、前記基板保持部の開閉を制御する挟持機構部が前記フレキシブル配線基板の保持および取り外しを制御するステップであることを特徴とする表示装置の搬送方法。
【請求項５】
表示パネルと、該表示パネルへ信号を入力するためのフレキシブル配線基板とを備えた表示装置を搬送する表示装置の搬送方法であって、
前記フレキシブル配線基板をパレットの基板保持部によって保持し、前記表示パネルの一面を前記パレットのパレット保持部によってさらに保持して前記表示装置を前記パレットへ載置する載置ステップと、
前記パレットを駆動装置が搬送することによって前記表示装置を搬送する搬送ステップと、を有することを特徴とする表示装置の搬送方法。
【請求項６】
請求項５に記載の表示装置の搬送方法において、
前記載置ステップは、前記フレキシブル配線基板を前記基板保持部の規制部によって前記パレットへ略固定する規制ステップと、
前記フレキシブル配線基板の位置決め孔を前記基板保持部の位置決めピンに嵌合する位置決めステップと、
前記表示パネルを前記パネル保持部の貫通口部の周囲に設けられた座ぐり部へ受部を介して収容する収容ステップと、をさらに有することを特徴とする表示装置の搬送方法。
【請求項７】
表示パネルと、該表示パネルへ信号を入力するためのフレキシブル配線基板とを備えた表示装置を洗浄する表示装置の洗浄方法であって、
前記表示パネルを洗浄装置に備えられた一対の洗浄ロール間の間隙まで移動させる移動ステップと、
前記表示パネルを前記一対の洗浄ロールによって挟み込み、前記表示パネルへ一定の押圧を付与する押圧付与ステップと、
前記フレキシブル配線基板を保持する基板保持部が前記洗浄ロールから離反する方向へ移動して前記表示パネルが前記洗浄ロールの位置を通過することによって、前記表示パネルを洗浄する洗浄ステップと、を有することを特徴とする表示装置の洗浄方法。
【請求項８】
請求項７に記載の表示装置の洗浄方法において、
前記洗浄ロールは、洗浄液を含有し弾力性を有する無発塵材を備え、
前記洗浄ステップの後に、次回洗浄する前記表示パネルを前記無発塵材の新しい面で洗浄するために、前記洗浄ロールを所定量移動させる移動ステップをさらに有することを特徴とする表示装置の洗浄方法。
【請求項９】
表示パネルと、該表示パネルへ信号を入力するためのフレキシブル配線基板とを備えた表示装置を洗浄する表示装置の洗浄方法であって、
前記表示パネルを洗浄する洗浄装置の洗浄シートは、前記洗浄シートを収容する送りロールから前記表示パネルを洗浄する位置へ送り出され巻取りロールに巻き取られる構成であり、
前記表示パネルが一対の前記洗浄シート間の間隙まで移動する移動ステップと、
前記表示パネルを前記一対の洗浄シートによって挟み込み、前記表示パネルへ一定の押圧を付与する押圧付与ステップと、
前記フレキシブル配線基板を保持する基板保持部が前記洗浄シートから離反する方向へ移動して前記表示パネルが前記洗浄シートの位置を通過することによって、前記表示パネルを洗浄する洗浄ステップと、を有することを特徴とする表示装置の洗浄方法。
【請求項１０】
請求項９に記載の表示装置の洗浄方法において、
前記洗浄シートは、洗浄液を含有し弾力性を有する無発塵材を備え、
前記洗浄ステップの後に、次回洗浄する前記表示パネルを前記無発塵材の新しい面で洗浄するために、前記送りロールおよび前記巻取りロールを所定量回転させて前記洗浄シートを所定量移動させる移動ステップを、さらに有することを特徴とする表示装置の洗浄方法。
【請求項１１】
請求項７から１０のいずれか一項に記載の表示装置の洗浄方法において、
前記表示パネルと前記洗浄ロールまたは前記洗浄シートとは、前記表示パネルが洗浄される際に前記表示パネルの搬送される方向と略直角方向に線状をなして接していることを特徴とする表示装置の洗浄方法。
【請求項１２】
表示パネルと、該表示パネルへ信号を入力するためのフレキシブル配線基板とを備えた表示装置を洗浄する表示装置の洗浄方法であって、
前記表示装置を載置した前記パレットを洗浄装置の駆動装置が搬送する搬送ステップと、
前記表示パネルが洗浄液の散布部へ搬送されると、前記散布部が前記表示パネルへ前記洗浄液を散布する洗浄ステップと、を有することを特徴とする表示装置の洗浄方法。
【請求項１３】
請求項１１に記載の表示装置の洗浄方法を実行可能な洗浄装置であって、
前記フレキシブル配線基板を保持する前記基板保持部と、
前記基板保持部を搬送する前記搬送部と、
前記表示パネルを洗浄する洗浄ロールまたは洗浄シートと、
前記表示パネルへ前記洗浄ロールまたは洗浄シートを介して前記押圧を付与する押圧付与部と、
前記洗浄ロールまたは洗浄シートの前記表示パネルを洗浄する面を移動させる移動部と、を有することを特徴とする洗浄装置。
【請求項１４】
請求項１２に記載の表示装置の洗浄方法を実行可能な洗浄装置であって、
前記表示装置を載置するパレットと、
前記パレットを搬送する前記駆動装置と、
前記パレットに載置された前記表示パネルへ前記洗浄液を散布する前記散布部と、を有することを特徴とする洗浄装置。
【発明の詳細な説明】
【技術分野】
【０００１】
本発明は、表示装置を保持して搬送するための表示装置の保持方法、搬送方法および洗浄方法並びに洗浄装置に関する。
【背景技術】
【０００２】
従来、表示装置を洗浄するための搬送および洗浄方法は、バッチ式と枚葉式とがある。バッチ式洗浄方法は、まず、多数の表示装置を収容したカセットを洗浄層へ搬送し、洗浄液にカセットを浸漬する。そして、超音波振動を付与して表示装置を洗浄していた（たとえば特許文献１）。
【０００３】
また、枚葉式の洗浄方法は、表示装置が上向きの傾斜をもって設置されたローラによって一枚ずつ洗浄室へ搬送され、洗浄室においてシャワー状の洗浄液を噴霧されていた。洗浄液の噴霧により表示装置に付着していた異物等が除去され、清浄な状態の表示装置となる（たとえば特許文献２）。
【０００４】
枚葉式の場合、ローラによる表示装置の具体的な搬送の一例を図１０に示す。図１０は、従来のローラによる表示装置の搬送方法を示し、（ａ）は側面図、（ｂ）は断面図である。表示装置１００は、表示装置１００のガラス基板１０１の一つの基板面１０１ａが第一のローラ１０２に載置されている。さらに、搬送方向に直角方向の断面が凸形状の第二のローラ１０４によって、基板面１０１ａと反対側の面１０３が押圧されると共に、基板面１０１ａと直角をなす面１０１ｂがガイドされる。第一のローラ１０２および第二のローラ１０４が回転し、且つ、面１０１ｂがガイドされることにより、表示装置１００は、所定方向に向いて搬送される。
【０００５】
【特許文献１】特開平５−２６７２６４号公報
【特許文献２】特開２００１−１０８９７７号公報
【発明の開示】
【発明が解決しようとする課題】
【０００６】
しかし、従来の技術では、ガラス基板１０１の面１０１ｂがスクライブ切断された面であって、ミクロ的に見るとギザギザした面である。そのため、バッチ式洗浄方法において、超音波振動によりカセットと接する面１０１ｂが損傷し欠け易かった。同様に、枚葉式洗浄方法において、第二のローラ１０４によって面１０１ｂがガイドされると、第二のローラ１０４によってガイドされた面１０１ｂの部分に欠けが発生していた。また、第二のローラ１０４が面１０１ｂおよびエッジ部１０５によって削られ、削られた異物が表示装置１００に付着し易かった。
【０００７】
本発明は、上記課題を解決するために、表示装置の損傷や異物の発生を低減する表示装置の保持方法、搬送方法および洗浄方法並びに洗浄装置を提供することを目的とする。
【課題を解決するための手段】
【０００８】
本発明の表示装置の保持方法は、表示パネルと、表示パネルへ信号を入力するためのフレキシブル配線基板とを備えた表示装置を保持する方法であって、表示装置のフレキシブル配線基板を基板保持部によって保持する基板保持ステップと、表示パネルの少なくとも二面をパネル保持部によって保持するパネル保持ステップと、を有することを特徴とする。
【０００９】
この表示装置の保持方法によれば、最初に、表示パネルとフレキシブル配線基板とを備えた表示装置のフレキシブル配線基板側を基板保持部で保持する。フレキシブル配線基板は、柔軟性を有するプラスチック系材料およびポリイミド系材料等で形成されており、内部に表示パネルと接続される導電性の配線が備えられている。このフレキシブル配線基板は、表示パネルの種類に関わらず、柔軟性確保のため厚み方向の寸法が薄く設定されている。例えばフレキシブル配線基板の厚み方向を開閉機構で挟みこんで保持する場合、種類によって厚さが異なる表示パネルを挟み込むのに比べ、基板保持部の開閉調整などがほとんど必要ない。そして、表示パネルを洗浄する際などには、フレキシブル配線基板側を保持した状態で、表示パネルが安定するように、表示パネルの二面をそれぞれ挟み込むようにしてさらに保持する。このようにフレキシブル基板と表示パネルとを保持する保持方法であるため、安定した状態に表示装置を保持可能である。また、フレキシブル基板側を主に保持するため、表示装置の主要部である表示パネルにスクライブ切断されたガラス基板等が用いられていても、ガラス欠け、キズ等の損傷を表示パネルに与えることを低減可能である。
【００１０】
この場合、基板保持ステップおよびパネル保持ステップで保持される表示装置は、表示パネルとフレキシブル配線基板とを接続する異方性導電膜と、表示パネルとフレキシブル配線基板との接続強度向上のための補強接続部と、を有することが好ましい。
【００１１】
この方法によれば、表示装置は、表示パネルとフレキシブル配線基板とが異方性導電膜を用いて接続されている。異方性導電膜により、表示パネルとフレキシブル配線基板との対応する各端子間が電気的導電性を有し、隣接する端子とは絶縁性を有する接続構成となっている。さらに、接続部分へ接着剤等を塗布する補強方法により、表示パネルとフレキシブル配線基板との接続部分の接続強度を向上させている。このような接続がなされた表示装置は、フレキシブル配線基板側を保持される基板保持ステップにおいても、フレキシブル配線基板と表示パネルとの電気的導通および接続強度を強力に維持することが可能である。
【００１２】
本発明の表示装置の搬送方法は、表示パネルと、表示パネルへ信号を入力するためのフレキシブル配線基板とを備えた表示装置を搬送する方法であって、表示装置のフレキシブル配線基板を搬送装置の基板保持部によって保持する基板保持ステップと、表示パネルの少なくとも二面をパネル保持部によってさらに保持するパネル保持ステップと、基板保持部を搬送装置の搬送部が搬送することによって表示装置を搬送する搬送ステップと、を有することを特徴とする。
【００１３】
この表示装置の搬送方法によれば、表示パネルとフレキシブル配線基板とを備えた表示装置のフレキシブル配線基板側を搬送装置の基板保持部で保持し、この基板保持部を搬送部で搬送する。表示パネルは、安定した保持のため、さらに、二面を挟み込まれるように保持される。搬送装置は、表示パネル装置に直接接触することなく、基板保持部がフレキシブル配線基板を保持して表示装置を搬送する構成のため、表示パネルにキズ、欠け等の損傷を与えることがほとんどない。
【００１４】
この場合、基板保持ステップは、基板保持部の開閉を制御する挟持機構部がフレキシブル配線基板の保持および取り外しを制御するステップであることが好ましい。
【００１５】
この方法によれば、基板保持部の挟持機構部が基板保持部を閉じる制御をすることによりフレキシブル配線基板を挟んで保持し、また、フレキシブル配線基板を取り外すために基板保持部を開く制御をする。フレキシブル配線基板の保持および取り外しを基板保持部の開閉によって行う構成のため、挟持機構部の機構および制御は、単純で簡便な方式が採用可能である。また、配線基板は柔軟性維持のため厚み方向が薄く設定されており、この厚み方向を保持すれば、挟持機構部による基板保持部の開閉調整がほとんど不要であり、調整を要する場合においても非常に簡単に設定可能である。
【００１６】
本発明の表示装置の搬送方法は、表示パネルと、表示パネルへ信号を入力するためのフレキシブル配線基板とを備えた表示装置を搬送する方法であって、フレキシブル配線基板をパレットの基板保持部によって保持し、表示パネルの一面をパレットのパレット保持部によってさらに保持して表示装置をパレットへ載置する載置ステップと、パレットを駆動装置が搬送することによって表示装置を搬送する搬送ステップと、を有することを特徴とする。
【００１７】
この表示装置の搬送方法によれば、表示装置をパレットに載置し、パレットを駆動装置が搬送することによって、表示装置の搬送を行う。表示装置は、フレキシブル配線基板および表示パネルとも所定位置に安定して載置されるように、フレキシブル配線基板の部分がパレットの基板保持部によって保持され、表示パネルがパレットのパネル保持部によって保持されている。このパレットを用いることにより、多数の表示装置を安定した状態でパレットに保持して搬送可能である。また、表示装置を直接保持、搬送せずに表示装置を載置したパレットを搬送するため、搬送用のローラ等により表示パネルへキズ、欠けなどの損傷を与えることがほとんどない。
【００１８】
この場合、載置ステップは、フレキシブル配線基板を基板保持部の規制部によってパレットへ略固定する規制ステップと、フレキシブル配線基板の位置決め孔を基板保持部の位置決めピンに嵌合する位置決めステップと、表示パネルをパネル保持部の貫通口部の周囲に設けられた座ぐり部へ受部を介して収容する収容ステップと、をさらに有することが好ましい。
【００１９】
この方法によれば、パレットに載置された表示装置の搬送による位置ずれを規制部がフレキシブル配線基板を略固定して規制する。同時に、フレキシブル配線基板の位置決め孔を位置決めピンに嵌合させることにより、多数の表示装置を正確な位置へ安定した状態で載置可能である。また、表示パネルを貫通口部の座ぐり部へ受部を介して収容することにより、表示パネルが直接パレットと接触して欠け、キズ等が生じることを低減可能である。規制部および位置決めピンは、基板保持部を構成し、貫通口部、座ぐり部および受部は、パネル保持部を構成している。さらに、表示パネルとフレキシブル配線基板との厚みの違いによって、フレキシブル配線基板が反った状態でパレットに載置されることを防止可能である。なお、貫通口部は、例えば表示パネルを洗浄液のシャワーなどで洗浄する場合において、洗浄液が表示パネルを十分洗浄可能なように、表示パネルの表示部より大きく設定することが好ましい。
【００２０】
本発明の表示装置の洗浄方法は、表示パネルと、表示パネルへ信号を入力するためのフレキシブル配線基板とを備えた表示装置を洗浄する方法であって、表示パネルを洗浄装置に備えられた一対の洗浄ロール間の間隙まで移動させる移動ステップと、表示パネルを一対の洗浄ロールによって挟み込み、表示パネルへ一定の押圧を付与する押圧付与ステップと、フレキシブル配線基板を保持する基板保持部が洗浄ロールから離反する方向へ移動して表示パネルが洗浄ロールの位置を通過することによって、表示パネルを洗浄する洗浄ステップと、を有することを特徴とする。
【００２１】
この表示装置の洗浄方法によれば、まず、基板保持部で保持された表示装置を洗浄装置の一対の洗浄ロール間へ移動させ、次に、一対の洗浄ロールが表示パネルを挟み込んで押圧を付与する。そして、表示パネルが洗浄ロールの位置を通過するように基板保持部を移動させることにより、表示パネルの洗浄が行われる。この方法によれば、表示パネルが洗浄ロールのみに接して洗浄されるため、表示パネルに欠け、キズ等が発生することを大幅に低減可能である。また、洗浄ロールによって表示パネルを洗浄するため、表示パネルが多量の洗浄液に浸るなどして、洗浄液が表示パネル内部へ侵入することがない。なお、一対の洗浄ロールは、表示パネルを洗浄するだけでなく、表示パネルを安定した状態に保持する役目を果たしている。
【００２２】
この場合、洗浄ロールは、洗浄液を含有し弾力性を有する無発塵材を備え、洗浄ステップの後に、次回洗浄する表示パネルを無発塵材の新しい面で洗浄するために、洗浄ロールを所定量移動させる移動ステップをさらに有することが好ましい。
【００２３】
この方法によれば、洗浄ロールは、洗浄液を含んだ弾力性を有する無発塵材を備えており、洗浄液により表示パネルを洗浄する効果をより高めると共に、塵等の発生が抑制できるため表示パネルへの塵付着等を防止可能である。さらに、洗浄ロールは、表示パネルの洗浄終了後に所定量回転する。この回転により、洗浄ロールは、常に新しい洗浄面で表示パネルの洗浄を実行することになり、表示パネルの洗浄がバラツキなく確実に実行可能である。
【００２４】
本発明の表示装置の洗浄方法は、表示パネルと、表示パネルへ信号を入力するためのフレキシブル配線基板とを備えた表示装置を洗浄する方法であって、表示パネルを洗浄する洗浄装置の洗浄シートは、洗浄シートを収容する送りロールから表示パネルを洗浄する位置へ送り出され巻取りロールに巻き取られる構成であり、表示パネルが一対の洗浄シート間の間隙まで移動する移動ステップと、表示パネルを一対の洗浄シートによって挟み込み、表示パネルへ一定の押圧を付与する押圧付与ステップと、フレキシブル配線基板を保持する基板保持部が洗浄シートから離反する方向へ移動して表示パネルが洗浄シートの位置を通過することによって、表示パネルを洗浄する洗浄ステップと、を有することを特徴とする。
【００２５】
この表示装置の洗浄方法によれば、洗浄装置は、送りロールから巻取ロールへ送られる一対の洗浄シートを備えている。まず、保持部で保持された表示装置が一対の洗浄シート間へ移動し、次に、一対の洗浄シートが表示装置を挟み込んで押圧を付与する。そして、表示装置が洗浄シートの位置を通過するように保持部が移動することにより、表示装置の洗浄が行われる。この方法によれば、表示装置が洗浄シートのみに接して洗浄されるため、表示装置に欠け、キズ等が発生することを大幅に低減可能である。また、洗浄シートによって表示装置を洗浄するため、表示装置が多量の洗浄液に浸るなどして、洗浄液が表示装置内部へ侵入することがない。なお、一対の洗浄シートは、表示パネルを洗浄するだけでなく、表示パネルを安定した状態に保持する役目を果たしている。
【００２６】
この場合、洗浄シートは、洗浄液を含有し弾力性を有する無発塵材を備え、洗浄ステップの後に、次回洗浄する表示パネルを無発塵材の新しい面で洗浄するために、送りロールおよび巻取りロールを所定量回転させて洗浄シートを所定量移動させる移動ステップを、さらに有することが好ましい。
【００２７】
この方法によれば、洗浄シートは、洗浄液を含んだ弾力性を有する無発塵材を備えており、洗浄液により表示パネルを洗浄する効果をより高めると共に、塵等の発生が抑制できるため表示装置への塵付着等を防止可能である。さらに、洗浄シートは、表示パネルの洗浄終了後に、送りロールおよび巻取りロールの回転により所定量移動する。この移動により、洗浄シートは、常に新しい洗浄面で表示パネルの洗浄を実行することになり、表示パネルの洗浄がバラツキなく確実に実行可能である。
【００２８】
また、表示パネルと洗浄ロールまたは洗浄シートとは、表示パネルが洗浄される際に表示パネルの搬送される方向と略直角方向に線状をなして接していることが好ましい。
【００２９】
この方法によれば、表示パネルは、一対の洗浄ロールまたは洗浄シートによって押圧をもって挟み込まれ、洗浄ロールまたは洗浄シートが表示パネルと接する部分は、表示パネルが洗浄される際に搬送される方向と略直角方向に線状をなすように位置している。この線状に接する状態で、表示パネルが洗浄ロールまたは洗浄シート間を通過することにより、表示パネルの洗浄が行われる。表示パネルは、線状に接する部分において適度な押圧で挟み込まれて洗浄されるため、洗浄ロールまたは洗浄シート間をバランス良く通過でき、均一な洗浄が可能である。
【００３０】
本発明の表示装置の洗浄方法は、表示パネルと、表示パネルへ信号を入力するためのフレキシブル配線基板とを備えた表示装置を洗浄する方法であって、表示装置を載置したパレットを洗浄装置の駆動装置が搬送する搬送ステップと、表示パネルが洗浄液の散布部へ搬送されると、散布部が表示パネルへ洗浄液を散布する洗浄ステップと、を有することを特徴とする。
【００３１】
この表示装置の洗浄方法によれば、表示装置は、まず、パレットに載置されて駆動装置により搬送される。次に、表示パネルが洗浄液の散布部へ搬送されると、散布部から洗浄液が散布され、表示パネルが洗浄液によって洗浄される。この方法によれば、パレットの大きさに応じて多数の表示装置が載置できるため、一度に多数の表示装置を洗浄することが可能である。また、駆動装置は、表示パネルに直接触れて搬送するのではなく、表示装置を載置したパレットを搬送するため、表示パネルにキズ、欠け等が発生することを大幅に低減することが可能である。
【００３２】
本発明の洗浄装置は、フレキシブル配線基板を保持する基板保持部と、基板保持部を搬送する搬送部と、表示パネルを洗浄する洗浄ロールまたは洗浄シートと、表示パネルへ洗浄ロールまたは洗浄シートを介して押圧を付与する押圧付与部と、洗浄ロールまたは洗浄シートの表示パネルを洗浄する面を移動させる移動部と、を有することを特徴とする。
【００３３】
この洗浄装置によれば、表示パネルとフレキシブル配線基板とを備えた表示装置のフレキシブル配線基板側を基板保持部によって保持して搬送し、表示パネルへ弾力性を有する洗浄ロールまたは洗浄シートによって押圧を付与しつつ表示パネルを洗浄する。表示パネルが洗浄ロールのみに接して洗浄されるため、表示パネルに欠け、キズ等が発生することを大幅に低減可能である。
【００３４】
本発明の洗浄装置は、表示装置を載置するパレットと、パレットを搬送する駆動装置と、パレットに載置された表示パネルへ洗浄液を散布する散布部と、を有することを特徴とする。
【００３５】
この洗浄装置によれば、表示パネルの洗浄は、表示装置を載置したパレットを洗浄液の散布部へ搬送し、散布部から洗浄液を表示パネルへ散布して行われる。パレットを用いることにより、表示パネルは、パレットを搬送する駆動装置と直接接触することがなく、従って、表示パネルに欠け、キズ等が発生することを大幅に低減可能である。  
【発明を実施するための最良の形態】
【００３６】
以下、本発明を具体化した実施形態について図面に従って説明する。実施形態における表示装置は、液晶表示方式の表示パネルと、表示パネルに電気的導電接続されているフレキシブル配線基板とを有している。最初に、この表示装置について説明する。
【００３７】
図１は、表示装置の構成を示す部分断面を含む平面図であり、図２は、表示装置の構成を示す部分断面を含む側面図である。図２は、図１のＰ−Ｐ’に沿った断面図である。図１および図２において、表示装置１は、表示パネル２とフレキシブル配線基板（Flexible  Printed  Circuit  board、以下ＦＰＣと記す）３とを有する。表示パネル２は、対をなすＴＦＴ基板４と対向基板５とが封止材であるシール材６によって貼り合わされている。シール材６は、基板面内の領域において閉ざされた枠状に形成されている。
【００３８】
シール材６の形成されている領域の内側には、ＴＦＴ基板４の表面にモザイク状に配置されている画素電極８および各画素電極８をスイッチング制御するＴＦＴ９と、対向基板５の表面に画素電極８に対向して配置されている平面状の対向電極１０と、画素電極８および対向電極１０を覆うように形成されている配向膜２７と、シール材６および配向膜２７によって区画された領域内に封入、保持されている液晶７とが配置されている。
【００３９】
シール材６の形成されている領域の外側および下側には、データ線駆動回路１１と、フレキシブル配線基板と接続するための実装端子１２とが、ＴＦＴ基板４の一辺に沿って形成されている。さらに、この一辺に隣接する二辺に沿って形成されている走査線駆動回路１３と、ＴＦＴ基板４の残る一辺に、二辺に沿って形成されている走査線駆動回路１３の間を接続するための複数のパネル配線１４とが設けられている。また、対向基板５のコーナー部の少なくとも１箇所においては、ＴＦＴ基板４と対向基板５との間で電気的導通をとるための基板間導通材１５が配設されている。
【００４０】
ＦＰＣ３は、実装端子１２にそれぞれ接続するＦＰＣ配線１６を内部に有している。ＦＰＣ配線１６と実装端子１２とは、異方性導電膜部１７によって電気的導電がとられている。異方性導電膜部１７は、導電性粒子とバインダとを有する異方性導電膜をＦＰＣ配線１６と実装端子１２との間で熱圧着加工することによって、対応するＦＰＣ配線１６と実装端子１２とをそれぞれ電気的に導通させている。さらに、異方性導電膜部１７は、電気的導通を図るだけでなく、実装端子１２間距離より微小な粒子径の導電性粒子をバインダに分散させることにより、隣接する実装端子１２間の絶縁性を確保している。
【００４１】
また、ＦＰＣ３には、ＦＰＣ３を表示パネル２の実装端子１２に接続する際に、ＦＰＣ３の実装端子１２に対する位置を決めるための２つの位置決め孔１８が設けられている。そして、異方性導電膜部１７によって接続されたＦＰＣ３と表示パネル２との接続強度をさらに強力にする目的で、ＦＰＣ配線１６と実装端子１２との近傍に接着剤が施された補強接続部１９が設けられている。
【００４２】
なお、表示パネル２においては、ＴＦＴ基板４は、スクライブ切断されたガラス基板であり、使用する液晶７の種類、すなわち、ＴＮ（Twisted Nematic）モード、ＳＴＮ（Super Twisted Nematic）モード等の動作モードや、ノーマリホワイトモードまたはノーマリブラックモードの別に応じて、位相差板、偏光板等が所定の向きに配置されるが、ここでは図示を省略する。また、表示パネル２をカラー表示用として構成する場合には、対向基板５において、ＴＦＴ基板４の各画素電極８に対向する領域に、赤（Ｒ）、緑（Ｇ）、青（Ｂ）のカラーフィルタをその保護膜とともに形成する。
【００４３】
次に、以上説明した表示装置１を洗浄する方法について、図面に沿って説明する。この場合、洗浄装置は、表示装置１の表示パネル２を洗浄し、表示パネル２の表示の妨げとなる塵等の異物の除去を主目的とする。特に、表示装置１がプロジェクタに用いられる場合には、微細な塵等であっても、投影時に大きく映し出されて見にくい画面となるため、洗浄は重要な工程作業である。
（実施形態１）
【００４４】
図３は、実施形態１の洗浄装置の構成を示す斜視図である。洗浄装置２０は、基台２１と、基台２１上に設置されている搬送装置２２とを備えている。搬送装置２２は、表示装置１を搬送する装置であり、搬送装置２２を駆動する搬送機構部２３および搬送機構部２３の駆動により表示装置１を所定位置へ搬送するループ状の搬送路である搬送レール２４を有する搬送部２５と、搬送レール２４に懸架され表示装置１を保持して搬送する基板保持部２６とを備えている。基板保持部２６は、表示装置１を挟んで保持する挟持部２６ａと、挟持部２６ａの開閉を制御する挟持機構部２６ｂと、挟持部２６ａおよび挟持機構部２６ｂを搬送レール２４に懸架する懸架部２６ｃとを備えている。  
【００４５】
また、洗浄装置２０は、搬送レール２４の下方に配置され表示装置１を洗浄するための一対の洗浄ロール２８と、洗浄ロール２８にそれぞれ直結して配置され洗浄ロール２８を回転させるモータ（移動部）２９と、一対の洗浄ロール２８およびモータ２９を支持し一対の洗浄ロール２８の間に表示装置１を挟み込み押圧を付与する操作および挟み込み解除を行う支持部３０と、支持部３０に押圧の付与操作を行わせるプランジャ（押圧付与部）３１と、洗浄装置２０を制御する制御部３４とを、さらに備えている。なお、一対の洗浄ロール２８は、パネル保持部としての機能も有しており、表示パネル２を安定して保持する役割を果たしている。
【００４６】
このような構成の洗浄装置２０によれば、搬送装置２２の基板保持部２６が基台２１の一端に位置する給材部３２において、表示装置１を保持する。給材部３２は、詳細を図示していないが、基板保持部２６下方の供給ボックスに収容されている表示装置１を、ロボットハンドで搬送またはシリンダで押し上げるなどして基板保持部２６へ供給する。表示装置１が基板保持部２６へ供給されると、挟持機構部２６ｂが表示装置１を感知する。そして挟持機構部２６ｂにより挟持部２６ａが閉じられて、表示装置１のＦＰＣ３側が保持される。もちろん、表示装置１の基板保持部２６への供給は、作業者が基板保持部２６へ取り付けるなどの他方法でも可能である。
【００４７】
続いて、基板保持部２６は、搬送レール２４に沿って洗浄ロール２８の位置まで表示装置１を搬送し、洗浄ロール２８が表示装置１を洗浄する。洗浄後、基板保持部２６は、基台２１の他端に位置する除材部３３へ表示装置１を搬送し、そこで表示装置１の保持を解除する。基板保持部２６は、この後、搬送レール２４に沿って給材部３２へ回送され、新たな表示装置１を保持して搬送する。この一連の工程を繰り返すことにより、連続して表示装置１の洗浄が可能である。なお、表示装置１を洗浄する洗浄ロール２８は、表示装置１を洗浄する洗浄液を含有し弾力性を有する無発塵材を備えており、洗浄液で表示装置１の汚れ等を落としつつ無発塵材で微細な塵等を絡めとって洗浄を行う構成である。
【００４８】
次に、表示装置１の洗浄方法についてフローチャートに基づいてさらに詳細に説明する。図４は、洗浄装置によって表示装置を洗浄する工程を示すフローチャートである。また図５は、実施形態１における洗浄装置の洗浄ロール部の詳細を示す斜視図であって、図３の洗浄装置２０の洗浄ロール２８部を詳細に示してある。これら図３、図５を参照して説明する。
【００４９】
まず、ステップＳ１において、搬送装置２２の基板保持部２６が給材部３２で表示装置１のＦＰＣ３を保持する。表示装置１の保持後、ステップＳ２へ進む。
【００５０】
ステップＳ２において、基板保持部２６が表示装置１を洗浄ロール２８の位置へ搬送する。表示装置１を保持した基板保持部２６が、搬送機構部２３の駆動により搬送レール２４に沿って基台２１の面と平行に搬送されることによって、表示装置１は、洗浄ロール２８の位置へ搬送される。このとき一対の洗浄ロール２８は、それらの間隙に表示装置１を受け入れ可能なように、図３に示す位置Ａから位置Ｂへ間隙が開いた状態である。表示装置１が洗浄ロール２８の位置へ搬送されると、次のステップＳ３へ進む。
【００５１】
ステップＳ３において、表示装置１を一対の洗浄ロール２８で挟み込んで押圧を付与する。一対の洗浄ロール２８は、支持部３０およびプランジャ３１により位置Ｂから位置Ａへ移動し、表示装置１を挟み込むようにして押圧を付与する。押圧の付与後、ステップＳ４へ進む。
【００５２】
ステップＳ４において、表示装置１へ押圧を付与したまま一対の洗浄ロール２８で表示装置１を洗浄する。ここで、洗浄ロール２８の位置まで基台２１と平行であった搬送レール２４は、洗浄ロール２８の位置で基台２１から離反する方向へ９０度方向を変えて延在している。従って、表示装置１は、一対の洗浄ロール２８に挟まれた状態で、基台２１から離反する方向へ搬送されて洗浄ロール２８の間隙を通過する。この場合、図５に示すように、表示装置１と洗浄ロール２８とが接する接触部３５は、表示装置１が搬送される方向に対しておおよそ直角方向に線状をなしている。表示装置１の洗浄時には、洗浄ロール２８は回転せず、接触部３５で表示装置１を挟んで押圧を付与する。一対の洗浄ロール２８は、表示装置１を安定して保持する役目を果たしており、表示装置１は、安定した状態で一対の洗浄ロール２８の間隙を通過可能である。
【００５３】
次に、ステップＳ５において、表示装置１の洗浄が終了したか否かを制御部３４が判断する。搬送レール２４は、表示装置１が洗浄ロール２８の位置を通過して洗浄されている間、基台２１から離反する方向へ延在して基板保持部２６を搬送する。洗浄が終了した時点で再び基台２１と平行な方向へ方向転換して延在する。この方向転換する位置へ基板保持部２６が達したことを検出して洗浄が終了したと制御部３４が判断する。終了すればステップＳ６へ進み、一方、終了していなければステップＳ４へ戻る。
【００５４】
次に、ステップＳ６において、表示装置１を除材部３３へ搬送し、基板保持部２６による保持を解除する。除材部３３へ基板保持部２６が到達すると、挟持機構部２６ｂにより挟持部２６ａが開き、表示装置１は、図示していない回収ボックスへ回収される。解除後基板保持部２６は搬送レール２４によって給材部３２へ回送される。
【００５５】
最後に、ステップＳ７において、洗浄ロール２８を所定量回転させる。回転は、洗浄ロール２８に直結したモータ２９により行う。これにより、洗浄ロール２８は、次に洗浄する表示装置１を、直前に洗浄した表示装置１とは異なる新しい洗浄ロール２８の面で洗浄することが可能である。以上で洗浄ロール２８による表示装置１の洗浄方法のフローが終了する。
【００５６】
このフローにおいて、ステップＳ１が基板保持部２６による基板保持ステップ、ステップＳ３が洗浄ロール２８によるパネル保持ステップに該当する。また、ステップＳ３は押圧付与ステップにも該当し、ステップＳ４が搬送ステップおよび洗浄ステップ、ステップＳ７が移動ステップにそれぞれ該当する。
【００５７】
以下に実施形態１の効果をまとめて記載する。
【００５８】
（１）表示装置１の保持において、表示装置１のＦＰＣ３側は、基板保持部２６で保持され、表示パネル２は洗浄ロール２８で保持される。従って、表示装置１の洗浄時において、表示パネル２が安定して保持されバラツキのない均一な洗浄が可能である。
【００５９】
（２）表示装置１に比して厚みの薄いＦＰＣ３を保持する保持方法により、基板保持部２６の挟持機構部２６ｂによる開閉調整がほとんど不要であり、調整をする場合においても非常に簡便に設定可能である。また、挟持機構部２６ｂの機構および制御は、単純で簡便な方式が採用可能である。
【００６０】
（３）異方性導電膜部１７と、接着剤による補強接続部１９とにより接続された表示パネル２とＦＰＣ３とは、電気的導通および接続強度を強力に維持することが可能である。この接続により、ＦＰＣ３側のみの保持であっても、表示パネル２とＦＰＣ３とが剥離することなく、表示装置１としての機能が維持可能である。
【００６１】
（４）洗浄装置２０は、表示パネル２を洗浄ロール２８のみが接して洗浄し、さらに、表示パネル２のスクライブ切断されたＴＦＴ基板４の端面と非接触であるため、核基板のガラス欠け、キズ等の発生を大幅に低減することが可能である。  
【００６２】
（５）洗浄ロール２８は、洗浄液を含んだ弾力性を有する無発塵材を備えており、洗浄液により表示装置１を洗浄する効果をより高めると共に、塵の発生が抑制できるため、表示装置１への塵の付着を防止することが可能である。
【００６３】
（６）表示装置１は、洗浄液を含有した洗浄ロール２８によって洗浄されるため、表示装置１が多量の洗浄液に浸るなどして、洗浄液が表示装置１の内部へ侵入することがほとんどない。
【００６４】
（７）洗浄装置２０は、一対の洗浄ロール２８が表示装置１と線状に接する部分において、表示装置１を適度な押圧で挟み込んで洗浄する。従って、表示装置１は、洗浄ロール２８の間をバランス良く通過可能であって、均一に洗浄される。
【００６５】
（８）洗浄ロール２８は、表示パネル２の洗浄後、所定量回転して次に洗浄する表示パネル２を新しい面で洗浄する。これにより、常に、表示パネル２を新しい面で洗浄でき均一な洗浄が可能である。
（実施形態２）
【００６６】
次に、表示装置１を洗浄ロール２８に替えて洗浄シートを用いて洗浄する洗浄方法について説明する。図６は、実施形態２における洗浄装置の洗浄シートの詳細を示す斜視図である。実施形態２は、表示装置１の洗浄を洗浄シート３６によって行うこと以外、実施形態１と同様であり重複する説明は割愛する。
【００６７】
実施形態２における洗浄装置２０は、表示パネル２を洗浄する一対の洗浄シート３６と、それぞれの洗浄シート３６をロール状に収容している送りローラ３７と、送りローラ３７から洗浄シート３６を引き出して巻き取る巻取ローラ３８と、巻取ローラ３８と直結し巻取ローラ３８を回転させて洗浄シート３６を巻き取らせるモータ３９と、一対の洗浄シート３６の間へ搬送された表示パネル２を挟み込むように洗浄シート３６を接触させる一対の押圧バー４０と、押圧バー４０を個別に支持する支持部４１とを備えている。支持部４１は、実施形態１の支持部３０と同様プランジャ３１により操作され押圧バー４０を介して洗浄シート３６へ押圧を付与する。なお、一対の洗浄シート３６は、パネル保持部としての機能も有しており、表示パネル２を安定して保持する役割を果たしている。
【００６８】
このような構成の洗浄装置２０において、一対の洗浄シート３６の間隙へ表示パネル２が搬送されると、押圧バー４０が洗浄シート３６を表示パネル２へ押し当て表示パネル２を挟み込む。表示パネル２は、洗浄シート３６で挟まれ押圧を付与された状態である。この場合、表示パネル２と洗浄シート３６とが接する接触部３５は、表示パネル２が搬送される方向に対しておおよそ直角方向に線状をなしている。この状態で、表示パネル２は、洗浄装置２０の基台２１から離反する方向へ搬送されて洗浄シート３６の間隙を通過する。表示パネル２は、線状をなす接触部３５により挟まれ洗浄シート３６の接触部３５で洗浄される。
【００６９】
また、表示パネル２の洗浄時には、洗浄シート３６は移動せず、洗浄シート３６を表示パネル２へ押し当てる接触部３５は、押圧バー４０により強固にガイドされた状態である。従って、表示パネル２は、安定した状態で一対の洗浄シート３６の間隙を通過し、洗浄される。
【００７０】
洗浄が終了すると、プランジャ３１が支持部４１を介して、押圧バー４０を表示パネル２への押圧を解除する方向へ移動させる。同時に、モータ３９が巻取ローラ３８を回転させて、送りローラ３７から新しい洗浄シート３６を引き出す。これにより、一対の洗浄シート３６の間隙が広がり、次の表示パネル２を当該間隙に受け入れ可能となる。さらに、洗浄シート３６は、新たに引き出されており、洗浄装置２０は、次に洗浄する表示パネル２を、直前に洗浄した表示パネル２とは異なる新しい洗浄シート３６の面を接触部３５として、洗浄することが可能である。
【００７１】
洗浄シート３６による洗浄は、実施形態１の洗浄ロール２８による洗浄と同等の効果を有するが、以下に実施形態２における効果を記載する。
【００７２】
（１）洗浄シート３６は、送りローラ３７に収容されている長尺のシートであり、表示パネル２毎に新しいシート面で洗浄しても、洗浄ロール２８より洗浄面を長く有しているため多数の表示装置１の洗浄が可能である。
（実施形態３）
【００７３】
次に、パレットを用いて表示装置１の洗浄を行う方法について説明する。図７は、（ａ）が実施形態３における表示装置を搬送するパレットを示す平面図であり、（ｂ）が表示装置を搬送するパレットを示す断面図である。図７（ｂ）は、図７（ａ）のＱ−Ｑ’に沿った断面図である。表示装置１は、ＦＰＣ３側をパレット５０の保持部５６で保持されて載置され、搬送、洗浄される。
【００７４】
図７に示すように、パレット５０は、表示装置１の表示パネル２を載置する位置に設けられた貫通口部５１と、貫通口部５１の周囲に設けられ表示パネル２を収容する座ぐり部５２と、表示パネル２が直接座ぐり部５２へ接触しないように座ぐり部５２の４箇所に設けられた受部５３とを備えている。また、ＦＰＣ３の２つの位置決め孔１８に嵌合して表示装置１を正確に載置する位置決めピン５４と、ＦＰＣ３をパレット５０の載置面から離反しないように略固定して規制する規制部５５とを備えている。位置決めピン５４および規制部５５は、保持部５６として表示装置１をパレット５０に保持する。
【００７５】
なお、貫通口部５１は、表示パネル２の両面を洗浄可能なように、表示パネル２の表示領域より広い開口を有している。座ぐり部５２は、表示パネル２の外形より大きく、表示パネル２の端面がパレット５０に直接接触しないように設定されている。
【００７６】
パレット５０は、四角板状であり、表示装置１が載置された面がパレット５０の上面であり、上面の反対面が下面、その他の面が側面である。規制部５５は、パレット５０へＦＰＣ３を略固定するため、ＦＰＣ３を挿入可能なようにＦＰＣ３の断面形状と相似の矩形の開口を持つスリット部５７を形成している。受部５３は、パレット５０より軟材であるＰＥＥＫ（ポリエーテルエーテルケトン）材等で形成されている。なお、位置決めピン５４および規制部５５は、基板保持部を構成し、貫通口部５１、座ぐり部５２および受部５３は、パネル保持部を構成している。
【００７７】
このようなパレット５０に載置された表示装置１の洗浄方法について説明する。図８（ａ）は、実施形態３におけるパレットの搬送および洗浄を示す側面図であり、（ｂ）は、パレットの搬送および洗浄を示す正面図である。洗浄装置６０は、表示装置１を載置したパレット５０を搬送する駆動装置６１である第一のローラ６２および第二のローラ６３と、表示装置１へ洗浄液６４を散布する散布部６５とを備えている。
【００７８】
駆動装置６１は、第一のローラ６２がパレット５０の下面を受け、第二のローラ６３がパレット５０の上面を受けて、第一のローラ６２および第二のローラ６３の回転によってパレット５０を搬送する。第二のローラ６３は、搬送方向に直角方向の断面が凸形状となっており、パレット５０の上面に対して第一のローラ６２方向へ押圧を付与すると共に、パレット５０を搬送方向に正しく搬送するために、パレット５０の側面をガイドする構成である。
【００７９】
パレット５０を用いる洗浄方法についてフローチャートを参照して、さらに詳細に説明する。図９は、実施形態３における表示装置の洗浄工程を示すフローチャートである。最初に、ステップＳ１０において、ＦＰＣ３をパレット５０の規制部５５へ略固定して載置する。具体的には、パレット５０と規制部５５とで形成されているスリット部５７にＦＰＣ３を挿入する。挿入後ステップＳ１１へ進む。
【００８０】
ステップＳ１１において、ＦＰＣ３の位置決め孔１８をパレット５０の位置決めピン５４に嵌合する。これにより、表示装置１をパレット５０の正確な所定位置へ載置可能である。嵌合後ステップＳ１２へ進む。
【００８１】
ステップＳ１２において、表示パネル２をパレット５０の座ぐり部５２へ収容する。この時、座ぐり部５２と表示パネル２との間に受部５３を介在させ、表示部２と座ぐり部５２とが直接接触してキズ、欠け等が発生することを防止する。この構成により、受部５３は、表示パネル２を安定して保持する役目を果たしている。同様にして、パレット５０へ所定数の表示装置１を載置する。表示装置１の載置が終了すればステップＳ１３へ進む。
【００８２】
ステップＳ１３において、表示装置１を載置したパレット５０を洗浄装置６０の駆動装置６１にセットする。セット後ステップＳ１４へ進む。
【００８３】
ステップＳ１４において、パレット５０を駆動装置６１によって散布部６５へ搬送する。パレット５０が、第二のローラ６３で側面をガイドされ、第一のローラ６２よび第二のローラ６３の回転により搬送方向に向いて正確に搬送される。パレット５０が散布部６５へ搬送されるとステップＳ１５に進む。
【００８４】
ステップＳ１５において、散布部６５から洗浄液６４を表示装置１へ散布する。洗浄液６４の散布により、表示装置１の表示パネル２に付着していた塵等が洗い落とされて表示パネル２が洗浄される。洗浄後、ステップＳ１６へ進む。
【００８５】
ステップＳ１６において、パレット５０を散布部６５から離れる方向へ搬送する。散布部６５を通りすぎた表示装置１の表面には、洗浄液６４が残っており、空気の吹き付けなどにより残存する洗浄液６４を吹き飛ばすことが好ましい。以上でパレット５０を用いた洗浄方法のフローが終了する。
【００８６】
以下に実施形態３の効果をまとめて記載する。
【００８７】
（１）表示装置１の搬送にパレット５０を用いることにより、多数の表示装置１を安定した状態で保持して搬送可能である。また、パレット５０を搬送する駆動装置６１は、表示装置１には接触しないため、表示装置１へキズ、欠けなどの損傷を与えることがほとんどない。
【００８８】
（２）パレット５０に座ぐり部５２を設けて表示パネル２を収容することにより、表示パネル２とＦＰＣ３との厚みの違いによって、ＦＰＣ３が反った状態でパレット５０に載置されることを防止可能である。また、座ぐり部５２を表示パネル２外形より大きく設定しており、表示パネル２のＴＦＴ基板４および対向基板５の端面と非接触である。そのため、端面の欠け、キズ等が防止可能である。
【００８９】
（３）パレット５０への表示装置１の載置は、保持部５６の規制部５５によってＦＰＣ３が略固定され、位置決めピン５４によってＦＰＣ３の位置決め孔１８が嵌合される。この載置によって、表示装置１が正確な位置へ安定した状態で載置可能となる。
【００９０】
（４）パレット５０の大きさに応じて多数の表示装置１が載置できるため、一度に多数の表示装置１を洗浄することが可能である。
【００９１】
（５）貫通口部５１を設けることにより、表示パネル２の洗浄時において、表示パネル２の両面を同時に洗浄可能である。また、散布部６５から散布される洗浄液６４が座ぐり部５２に溜まって、表示パネル２の内部へ洗浄液が浸入することを防止可能である。
【００９２】
また、本発明は上記の実施形態に限定されるものではなく、次のような変形例が挙げられる。
【００９３】
（変形例１）基板保持部２６の挟持部２６ａは、ＦＰＣ３の保持および取り外しが可能なように開閉自在な構成であるが、ＦＰＣ３に孔を開けて基板保持部２６の爪部に引っ掛けるなどの他の保持方法であっても良い。屈曲したＦＰＣ３などのように挟み込みが困難な場合でも対応が可能である。
【００９４】
（変形例２）ＦＰＣ３と表示パネル２との接続強度向上のための補強接続部は、接着材を用いる以外でも良い。具体的には、テープによる補強、ＦＰＣ３を構成する樹脂部をＴＦＴ基板４へ熱圧着する補強、異方性導電膜部１７を構成するバインダに接着剤を用いる補強などが挙げられる。これらの補強方法により、ＦＰＣ３と表示パネル２との接続方法の選択肢を広げることが可能となる。
【００９５】
（変形例３）洗浄ロール２８は、円形が好ましいが、多角形または略楕円形等の形状の無発塵材であっても良い。このような形状であっても無発塵材の弾力性により円形の場合と同様の洗浄効果を得ることが可能である。
【００９６】
（変形例４）洗浄シート３６は、表示パネル２の洗浄終了後に所定量移動するが、表示パネル２の洗浄中も移動していても良い。洗浄中も常に新しいシート面で洗浄が行え、より確実な洗浄が可能である。
【００９７】
（変形例５）洗浄シート３６は、送りローラ３７から引き出されて巻取ローラ３８へ巻き取られる方式の端部を有する長尺のシートではなく、リング状の形態をした洗浄シート３６であっても良い。表示パネル２と接する接触部３５を巻き取り方式と同様にすれば、洗浄効果は、巻き取り方式と同様であり、リング状の洗浄シートは、円形状をはじめ自由な形に配置可能である。
【００９８】
（変形例６）表示パネル２を挟み込む一対の洗浄ロール２８は、パネル保持部として、どちらか一方が表示パネル２を支えるだけの押圧ローラであっても良い。表示パネル２の片側のみを洗浄する場合に、洗浄ロール２８を無駄に使用することがなく費用削減が図れる。また、一対の洗浄シート３６を使用する場合においても、どちらか一方を押圧バー４０のみで表示パネル２を支えることにより、パネル保持部として同様の効果を得ることが可能である。  
【００９９】
（変形例７）パレット５０に表示装置１を載置するための受部５３の材質は、ＰＥＥＫ材以外のパレット５０より軟らかい耐洗浄液性を有する硬質ゴム、プラスチック、金属材等でも良い。パレット５０およびＴＦＴ基板４に適した材種の選択が可能である。
【０１００】
（変形例８）パレット５０に載置された表示パネル２の洗浄は、散布部６５がパレット５０の上方および下方から洗浄する方法でなく、上方からの洗浄のみであっても良い。洗浄装置６０の構成を簡略化でき、表示パネル２の片面洗浄を効率良く行うことが可能である。
【０１０１】
（変形例９）パレット５０に載置された表示装置１の洗浄は、散布部６５から洗浄液６４を散布する方式ではなく、洗浄ロール２８または洗浄シート３６による洗浄であっても良い。こうすれば、多量の洗浄液６４を散布されて表示パネル２へ洗浄液６４が浸入して表示装置１が不良になることなどをさらに低減することが可能である。      
【０１０２】
（変形例１０）本実施形態では、表示パネル２に液晶７を用いる構成としたが、液晶７以外にも例えば有機発光材を利用する有機ＥＬ（エレクトロルミネッセンス）、蛍光材を利用するＰＤＰ（プラズマディスプレイパネル）、基板上に形成された小面積の薄膜に膜面に平行に電流を流すことにより、電子放出が生ずる現象を利用する表面伝導型電子放出素子（ＦＥＤ（Field  Emission  Display）やＳＥＤ（Surface-conduction  Electron-Emitter  Display））等にも適用可能である。
【図面の簡単な説明】
【０１０３】
【図１】表示装置の構成を示す部分断面を含む平面図。
【図２】表示装置の構成を示す部分断面を含む側面図。
【図３】実施形態１の洗浄装置の構成を示す斜視図。
【図４】洗浄装置によって表示装置を洗浄する工程を示すフローチャート。
【図５】実施形態１における洗浄装置の洗浄ロールの詳細を示す斜視図。
【図６】実施形態２における洗浄装置の洗浄シートの詳細を示す斜視図。
【図７】（ａ）実施形態３における表示装置を搬送するパレットを示す平面図。（ｂ）表示装置を搬送するパレットを示す断面図。
【図８】（ａ）実施形態３におけるパレットの搬送および洗浄を示す側面図。（ｂ）パレットの搬送および洗浄を示す正面図。
【図９】実施形態３における表示装置の洗浄工程を示すフローチャート。
【図１０】（ａ）従来の表示装置を搬送するローラを示す側面図。（ｂ）従来の表示装置を搬送するローラを示す断面図。
【符号の説明】
【０１０４】
１…表示装置、２…表示パネル、３…フレキシブル配線基板、４…ＴＦＴ基板、５…対向基板、１２…実装端子、１６…ＦＰＣ配線、１７…異方性導電膜部、１８…位置決め孔、１９…補強接続部、２０…洗浄装置、２２…搬送装置、２３…搬送機構部、２４…搬送レール、２５…搬送部、２６…基板保持部、２８…洗浄ロール、２９…移動部としてのモータ、３１…押圧付与部としてのプランジャー、３２…給材部、３３…除材部、３５…接触部、３６…洗浄シート、３９…移動部としてのモータ、４０…押圧バー、５０…パレット、５１…貫通口部、５２…座ぐり部、５３…受部、５４…位置決めピン、５５…規制部、５６…基板保持部、６０…洗浄装置、６１…駆動装置、６２…第一のローラ、６３…第二のローラ、６４…洗浄液、６５…散布部。
【図１】
2006293047.tif 000003
【図２】
2006293047.tif 000004
【図３】
2006293047.tif 000005
【図４】
2006293047.tif 000006
【図５】
2006293047.tif 000007
【図６】
2006293047.tif 000008
【図７】
2006293047.tif 000009
【図８】
2006293047.tif 000010
【図９】
2006293047.tif 000011
【図１０】
2006293047.tif 000012